(57)【要約】【課題】  無線ＬＡＮ部の消費電力を削減する。【解決手段】  無線ＬＡＮ部がスリープ状態にある時に、発信準備又は使用準備のための操作が検出されたならば、無線ＬＡＮ部を待機状態に遷移させ（２０１）、無線ＬＡＮ部がスリープ状態から待機状態に遷移してから、無線ＬＡＮ部がビーコン検出、アクセスポイント名確認及び認証に成功したならば、無線ＬＡＮ部をアクティブ状態に遷移させ（２０３）、無線ＬＡＮ部が待機状態からアクティブ状態に遷移してから、無線ＬＡＮ部を利用した通信が第１所定時間行われないことが検出されたならば、無線ＬＡＮ部を待機状態に遷移させ（２０５）、無線ＬＡＮ部を利用した通信が第１所定時間行われないことにより無線ＬＡＮ部がアクティブ状態から待機状態に遷移してから、第２所定時間経過したことが検出されたならば、無線ＬＡＮ部をスリープ状態に遷移させる（２０２）。【選択図】        図２
2006203325.tif 000002
【特許請求の範囲】
【請求項１】
無線ＬＡＮ部がスリープ状態にある時に、発信準備又は使用準備のための操作が検出されたならば、前記無線ＬＡＮ部を待機状態に遷移させるステップと、
前記無線ＬＡＮ部が前記スリープ状態から前記待機状態に遷移してから、前記無線ＬＡＮ部がビーコン検出、アクセスポイント名確認及び認証に成功したならば、前記無線ＬＡＮ部をアクティブ状態に遷移させるステップと、
を備えることを特徴とする無線ＬＡＮ部制御方法。
【請求項２】
請求項１に記載の無線ＬＡＮ部制御方法において、
前記無線ＬＡＮ部が前記待機状態から前記アクティブ状態に遷移してから、前記無線ＬＡＮ部を利用した通信が第１所定時間行われないことが検出されたならば、前記無線ＬＡＮ部を前記待機状態に遷移させるステップと、
前記無線ＬＡＮ部を利用した通信が前記第１所定時間行われないことにより前記無線ＬＡＮ部が前記アクティブ状態から前記待機状態に遷移してから、第２所定時間経過したことが検出されたならば、前記無線ＬＡＮ部を前記スリープ状態に遷移させるステップと、
を更に備えることを特徴とする無線ＬＡＮ部制御方法。
【請求項３】
請求項２に記載の無線ＬＡＮ部制御方法において、
前記無線ＬＡＮ部が前記アクティブ状態から前記待機状態に遷移した後、前記スリープ状態に遷移する前に、発信準備又は使用準備のための操作が検出され、且つ、前記無線ＬＡＮ部がビーコン検出、アクセスポイント名確認及び認証に成功したならば、前記無線ＬＡＮ部を前記アクティブ状態に遷移させるステップを更に備えることを特徴とする無線ＬＡＮ部制御方法。
【請求項４】
請求項２に記載の無線ＬＡＮ部制御方法において、
前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認及び認証に成功したならば、又は、外部トリガ信号を入力し、且つ、前記無線ＬＡＮ部がビーコン検出、アクセスポイント名確認及び認証に成功したならば、前記無線ＬＡＮ部を前記アクティブ状態に遷移させるステップを更に備えることを特徴とする無線ＬＡＮ部制御方法。
【請求項５】
請求項２に記載の無線ＬＡＮ部制御方法において、
前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認又は認証の何れかに失敗したならば、前記無線ＬＡＮ部を前記スリープ状態に遷移させるステップを更に備えることを特徴とする無線ＬＡＮ部制御方法。
【請求項６】
請求項２に記載の無線ＬＡＮ部制御方法において、
前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認又は認証の何れかに失敗したならば、前記無線ＬＡＮ部を前記待機状態のままにするステップを更に備えることを特徴とする無線ＬＡＮ部制御方法。
【請求項７】
請求項１に記載の無線ＬＡＮ部制御方法において、
前記無線ＬＡＮ部が前記待機状態から前記アクティブ状態に遷移してから、前記無線ＬＡＮ部を利用した通信が第１所定時間行われないことが検出されたならば、前記無線ＬＡＮ部を前記スリープ状態に遷移させるステップを更に備えることを特徴とする無線ＬＡＮ部制御方法。
【請求項８】
請求項１に記載の無線ＬＡＮ部制御方法において、
前記無線ＬＡＮ部が前記待機状態にある時に、発信のためのダイアル操作が検出され、且つ、前記無線ＬＡＮ部がビーコン検出、アクセスポイント名確認及び認証に成功したならば、前記無線ＬＡＮ部を前記アクティブ状態に遷移させるステップを更に備えることを特徴とする無線ＬＡＮ部制御方法。
【請求項９】
請求項８に記載の無線ＬＡＮ部制御方法において、
前記無線ＬＡＮ部が前記待機状態にある時に、発信のためのダイアル操作が検出され、且つ、前記無線ＬＡＮ部がビーコン検出、アクセスポイント名確認又は認証の何れかに失敗したならば、前記無線ＬＡＮ部を前記スリープ状態に遷移させるステップを更に備えることを特徴とする無線ＬＡＮ部制御方法。
【請求項１０】
請求項８に記載の無線ＬＡＮ部制御方法において、
前記無線ＬＡＮ部が前記待機状態にある時に、発信のためのダイアル操作が検出され、且つ、前記無線ＬＡＮ部がビーコン検出、アクセスポイント名確認又は認証の何れかに失敗したならば、前記無線ＬＡＮ部を前記待機状態のままにするステップを更に備えることを特徴とする無線ＬＡＮ部制御方法。
【請求項１１】
請求項１に記載の無線ＬＡＮ部制御方法において、
前記無線ＬＡＮ部が前記待機状態にある時に、携帯電話部が着信を受け、オフフック操作が行われたことを検出したならば、前記無線ＬＡＮ部を前記スリープ状態に遷移させるステップを更に備えることを特徴とする無線ＬＡＮ部制御方法。
【請求項１２】
請求項１に記載の無線ＬＡＮ部制御方法において、
前記無線ＬＡＮ部が前記待機状態にある時に、携帯電話部が着信を受け、オフフック操作が行われたことを検出したならば、前記無線ＬＡＮ部を前記待機状態のままにするステップを更に備えることを特徴とする無線ＬＡＮ部制御方法。
【請求項１３】
請求項１２に記載の無線ＬＡＮ部制御方法において、
前記無線ＬＡＮ部が前記待機状態にある時に、携帯電話部が着信を受け、オフフック操作が行われた後に、前記携帯電話部による通話終了の操作が行われたことを検出したならば、前記無線ＬＡＮ部を前記待機状態のままにするステップを更に備えることを特徴とする無線ＬＡＮ部制御方法。
【請求項１４】
請求項１に記載の無線ＬＡＮ部制御方法において、
前記無線ＬＡＮ部が前記アクティブ状態にある時に、携帯電話部を利用した通話が開始されたことを検出したならば、前記無線ＬＡＮ部を前記スリープ状態に遷移させるステップを更に備えることを特徴とする無線ＬＡＮ部制御方法。
【請求項１５】
請求項１に記載の無線ＬＡＮ部制御方法において、
前記無線ＬＡＮ部が前記アクティブ状態にある時に、携帯電話部を利用した通話が開始されたことを検出したならば、前記無線ＬＡＮ部を前記アクティブ状態のままにするステップを更に備えることを特徴とする無線ＬＡＮ部制御方法。
【請求項１６】
請求項１に記載の無線ＬＡＮ部制御方法において、
前記無線ＬＡＮ部が前記アクティブ状態にある時に、携帯電話部を利用した通話が開始された後に前記携帯電話部による通話終了の操作が行われたことを検出したならば、前記無線ＬＡＮ部を前記アクティブ状態のままにするステップを更に備えることを特徴とする無線ＬＡＮ部制御方法。
【請求項１７】
請求項１に記載の無線ＬＡＮ部制御方法において、
前記無線ＬＡＮ部が前記スリープ状態にある時に、携帯電話部が着信を受け、オフフック操作が行われたことを検出したならば、前記無線ＬＡＮ部を前記スリープ状態のままにするステップを更に備えることを特徴とする無線ＬＡＮ部制御方法。
【請求項１８】
請求項１に記載の無線ＬＡＮ部制御方法において、
前記無線ＬＡＮ部が前記スリープ状態にある時に、携帯電話部が着信を受け、オフフック操作が行われた後に、前記携帯電話部による通話終了の操作が行われたことを検出したならば、前記無線ＬＡＮ部を前記スリープ状態のままにするステップを更に備えることを特徴とする無線ＬＡＮ部制御方法。
【請求項１９】
請求項１に記載の無線ＬＡＮ部制御方法において、
前記無線ＬＡＮ部が前記待機状態又は前記アクティブ状態にある時に、サスペンドボタンが押されたことを検出したならば、前記無線ＬＡＮ部をスリープ状態に遷移させるステップを更に備えることを特徴とする無線ＬＡＮ部制御方法。
【請求項２０】
請求項１に記載の無線ＬＡＮ部制御方法において、
前記無線ＬＡＮ部が前記待機状態又は前記アクティブ状態にある時に、ユーザインターフェースが覆われたことを検出したならば、前記無線ＬＡＮ部をスリープ状態に遷移させるステップを更に備えることを特徴とする無線ＬＡＮ部制御方法。
【請求項２１】
無線ＬＡＮ部がスリープ状態にある時に、発信準備又は使用準備のための操作が検出されたならば、前記無線ＬＡＮ部を待機状態に遷移させる手段と、
前記無線ＬＡＮ部が前記スリープ状態から前記待機状態に遷移してから、前記無線ＬＡＮ部がビーコン検出、アクセスポイント名確認及び認証に成功したならば、前記無線ＬＡＮ部をアクティブ状態に遷移させる手段と、
を備えることを特徴とする無線ＬＡＮ部制御装置。
【請求項２２】
請求項２１に記載の無線ＬＡＮ部制御装置において、
前記無線ＬＡＮ部が前記待機状態から前記アクティブ状態に遷移してから、前記無線ＬＡＮ部を利用した通信が第１所定時間行われないことが検出されたならば、前記無線ＬＡＮ部を前記待機状態に遷移させる手段と、
前記無線ＬＡＮ部を利用した通信が前記第１所定時間行われないことにより前記無線ＬＡＮ部が前記アクティブ状態から前記待機状態に遷移してから、第２所定時間経過したことが検出されたならば、前記無線ＬＡＮ部を前記スリープ状態に遷移させる手段と、
を更に備えることを特徴とする無線ＬＡＮ部制御装置。
【請求項２３】
請求項２２に記載の無線ＬＡＮ部制御装置において、
前記無線ＬＡＮ部が前記アクティブ状態から前記待機状態に遷移した後、前記スリープ状態に遷移する前に、発信準備又は使用準備のための操作が検出され、且つ、前記無線ＬＡＮ部がビーコン検出、アクセスポイント名確認及び認証に成功したならば、前記無線ＬＡＮ部を前記アクティブ状態に遷移させる手段を更に備えることを特徴とする無線ＬＡＮ部制御装置。
【請求項２４】
請求項２２に記載の無線ＬＡＮ部制御装置において、
前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認及び認証に成功したならば、又は、外部トリガ信号を入力し、且つ、前記無線ＬＡＮ部がビーコン検出、アクセスポイント名確認及び認証に成功したならば、前記無線ＬＡＮ部を前記アクティブ状態に遷移させる手段を更に備えることを特徴とする無線ＬＡＮ部制御装置。
【請求項２５】
請求項２２に記載の無線ＬＡＮ部制御装置において、
前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認又は認証の何れかに失敗したならば、前記無線ＬＡＮ部を前記スリープ状態に遷移させる手段を更に備えることを特徴とする無線ＬＡＮ部制御装置。
【請求項２６】
請求項２２に記載の無線ＬＡＮ部制御装置において、
前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認又は認証の何れかに失敗したならば、前記無線ＬＡＮ部を前記待機状態のままにする手段を更に備えることを特徴とする無線ＬＡＮ部制御装置。
【請求項２７】
請求項２１に記載の無線ＬＡＮ部制御装置において、
前記無線ＬＡＮ部が前記待機状態から前記アクティブ状態に遷移してから、前記無線ＬＡＮ部を利用した通信が第１所定時間行われないことが検出されたならば、前記無線ＬＡＮ部を前記スリープ状態に遷移させる手段を更に備えることを特徴とする無線ＬＡＮ部制御装置。
【請求項２８】
請求項２１に記載の無線ＬＡＮ部制御装置において、
前記無線ＬＡＮ部が前記待機状態にある時に、発信のためのダイアル操作が検出され、且つ、前記無線ＬＡＮ部がビーコン検出、アクセスポイント名確認及び認証に成功したならば、前記無線ＬＡＮ部を前記アクティブ状態に遷移させる手段を更に備えることを特徴とする無線ＬＡＮ部制御装置。
【請求項２９】
請求項２８に記載の無線ＬＡＮ部制御装置において、
前記無線ＬＡＮ部が前記待機状態にある時に、発信のためのダイアル操作が検出され、且つ、前記無線ＬＡＮ部がビーコン検出、アクセスポイント名確認又は認証の何れかに失敗したならば、前記無線ＬＡＮ部を前記スリープ状態に遷移させる手段を更に備えることを特徴とする無線ＬＡＮ部制御装置。
【請求項３０】
請求項２８に記載の無線ＬＡＮ部制御装置において、
前記無線ＬＡＮ部が前記待機状態にある時に、発信のためのダイアル操作が検出され、且つ、前記無線ＬＡＮ部がビーコン検出、アクセスポイント名確認又は認証の何れかに失敗したならば、前記無線ＬＡＮ部を前記待機状態のままにする手段を更に備えることを特徴とする無線ＬＡＮ部制御装置。
【請求項３１】
請求項２１に記載の無線ＬＡＮ部制御装置において、
前記無線ＬＡＮ部が前記待機状態にある時に、携帯電話部が着信を受け、オフフック操作が行われたことを検出したならば、前記無線ＬＡＮ部を前記スリープ状態に遷移させる手段を更に備えることを特徴とする無線ＬＡＮ部制御装置。
【請求項３２】
請求項２１に記載の無線ＬＡＮ部制御装置において、
前記無線ＬＡＮ部が前記待機状態にある時に、携帯電話部が着信を受け、オフフック操作が行われたことを検出したならば、前記無線ＬＡＮ部を前記待機状態のままにする手段を更に備えることを特徴とする無線ＬＡＮ部制御装置。
【請求項３３】
請求項３２に記載の無線ＬＡＮ部制御装置において、
前記無線ＬＡＮ部が前記待機状態にある時に、携帯電話部が着信を受け、オフフック操作が行われた後に、前記携帯電話部による通話終了の操作が行われたことを検出したならば、前記無線ＬＡＮ部を前記待機状態のままにする手段を更に備えることを特徴とする無線ＬＡＮ部制御装置。
【請求項３４】
請求項２１に記載の無線ＬＡＮ部制御装置において、
前記無線ＬＡＮ部が前記アクティブ状態にある時に、携帯電話部を利用した通話が開始されたことを検出したならば、前記無線ＬＡＮ部を前記スリープ状態に遷移させる手段を更に備えることを特徴とする無線ＬＡＮ部制御装置。
【請求項３５】
請求項２１に記載の無線ＬＡＮ部制御装置において、
前記無線ＬＡＮ部が前記アクティブ状態にある時に、携帯電話部を利用した通話が開始されたことを検出したならば、前記無線ＬＡＮ部を前記アクティブ状態のままにする手段を更に備えることを特徴とする無線ＬＡＮ部制御装置。
【請求項３６】
請求項２１に記載の無線ＬＡＮ部制御装置において、
前記無線ＬＡＮ部が前記アクティブ状態にある時に、携帯電話部を利用した通話が開始された後に前記携帯電話部による通話終了の操作が行われたことを検出したならば、前記無線ＬＡＮ部を前記アクティブ状態のままにする手段を更に備えることを特徴とする無線ＬＡＮ部制御装置。
【請求項３７】
請求項２１に記載の無線ＬＡＮ部制御装置において、
前記無線ＬＡＮ部が前記スリープ状態にある時に、携帯電話部が着信を受け、オフフック操作が行われたことを検出したならば、前記無線ＬＡＮ部を前記スリープ状態のままにする手段を更に備えることを特徴とする無線ＬＡＮ部制御装置。
【請求項３８】
請求項２１に記載の無線ＬＡＮ部制御装置において、
前記無線ＬＡＮ部が前記スリープ状態にある時に、携帯電話部が着信を受け、オフフック操作が行われた後に、前記携帯電話部による通話終了の操作が行われたことを検出したならば、前記無線ＬＡＮ部を前記スリープ状態のままにする手段を更に備えることを特徴とする無線ＬＡＮ部制御装置。
【請求項３９】
請求項２１に記載の無線ＬＡＮ部制御装置において、
前記無線ＬＡＮ部が前記待機状態又は前記アクティブ状態にある時に、サスペンドボタンが押されたことを検出したならば、前記無線ＬＡＮ部をスリープ状態に遷移させる手段を更に備えることを特徴とする無線ＬＡＮ部制御装置。
【請求項４０】
請求項２１に記載の無線ＬＡＮ部制御装置において、
前記無線ＬＡＮ部が前記待機状態又は前記アクティブ状態にある時に、ユーザインターフェースが覆われたことを検出したならば、前記無線ＬＡＮ部をスリープ状態に遷移させる手段を更に備えることを特徴とする無線ＬＡＮ部制御装置。
【請求項４１】
コンピュータに請求項１乃至２０の何れか１項に記載の無線ＬＡＮ部制御方法を行わせるための無線ＬＡＮ部制御プログラム。
【請求項４２】
請求項４１に記載の無線ＬＡＮ部制御プログラムを記録したことを特徴とするコンピュータ読取り可能な記録媒体。
【発明の詳細な説明】
【技術分野】
【０００１】
本発明は、携帯端末に備わる無線ＬＡＮ部を制御するための無線ＬＡＮ部制御方法、無線ＬＡＮ部制御システム及び無線ＬＡＮ部制御プログラムに関し、特に、無線ＬＡＮ部と携帯電話部を備える携帯電話に備わる無線ＬＡＮ部の電力状態を制御するための無線ＬＡＮ部制御方法、無線ＬＡＮ部制御システム及び無線ＬＡＮ部制御プログラムに関する。
【背景技術】
【０００２】
近年、ＰＤＳ(Personal Digital Cellular)、Ｗ−ＣＤＭＡ(Wideband-Code Division Multiple Access)等の通信方式を利用した携帯電話が普及してきている。他方、近年、インターネットを利用したＩＰ(Internet Protocol)電話が普及してきている。
【０００３】
これらの流れを汲んで、携帯電話機能とＩＰ電話機能の両者を備えるデュアル携帯端末が登場してきている。このようなデュアル携帯端末は、自機が無線ＬＡＮのアクセスポイントに存在する場合には、ＩＰ電話機能を利用した通話を行い、そうでない場合には、携帯電話機能を利用した通話を行う。
【０００４】
ところで、携帯端末は、バッテリにより駆動されるため、駆動時間が制限される。特に、デュアル携帯端末は、２つの通話機能部を有するため、１つの通話機能部を有する携帯端末よりも一層駆動時間が制限される。
【０００５】
そこで、不要な電力を消費しないようにして、駆動時間を延ばす必要がある。そのために下記のような発明が今までに成されている。
【０００６】
例えば、上部蓋が開かれている時に無線部が接続状態となり、上部蓋が開かれていない時に無線部が非接続状態となる技術がある（例えば、特許文献１参照）。
【０００７】
また、無線ＬＡＮ又はＢｌｕｅｔｏｏｔｈ（登録商標）を用いて、スリープモードを含めた省電力の制御を行う技術がある（例えば、特許文献２参照）。
【０００８】
更に、ビーコン信号を利用して、スリープ状態を制御する技術がある（例えば、特許文献３）。
【特許文献１】特開２００３−０８７３６２号公報
【特許文献２】特開２００３−１２４８６２号公報
【特許文献３】特開２００４−１８０１１５号公報
【発明の開示】
【発明が解決しようとする課題】
【０００９】
しかし、特許文献１に記載されている発明は、上部蓋の開閉を制御するためのモータの駆動を絡めているものの、無線部の状態は、待ち受け状態及び通話状態のみである。
【００１０】
また、特許文献２に記載されている発明は、高データレートで通信を行うが消費電力が大きい第１の通話部を稼働させていない時に、低データレートで通信を行うが消費電力が小さい第２の通話部を稼働させ、第２の通話部が通話を開始したならば、第１の通話部に通信を渡すものであり、無線ＬＡＮ部の３つの状態（スリープ状態、待機状態及びアクティブ状態）を制御するものではない。
【００１１】
更に、特許文献３に記載されている発明は、無線ＬＡＮ部の省電力に関するものではなく、ホスト部の省電力に関するものである。
【００１２】
そこで、本発明は、ユーザインターフェースに対する操作状態、携帯電話部の状態及び無線ＬＡＮ部のアクセスポイントへのアクセス状態に応じて、無線ＬＡＮ部の電力状態を制御する無線ＬＡＮ部制御方法、無線ＬＡＮ部制御システム及び無線ＬＡＮ部制御プログラムを提供することを目的とする。
【課題を解決するための手段】
【００１３】
本発明によれば、無線ＬＡＮ部がスリープ状態にある時に、発信準備又は使用準備のための操作が検出されたならば、前記無線ＬＡＮ部を待機状態に遷移させるステップと、前記無線ＬＡＮ部が前記スリープ状態から前記待機状態に遷移してから、前記無線ＬＡＮ部がビーコン検出、アクセスポイント名確認及び認証に成功したならば、前記無線ＬＡＮ部をアクティブ状態に遷移させるステップと、を備えることを特徴とする無線ＬＡＮ部制御方法が提供される。
【００１４】
上記の無線ＬＡＮ部制御方法において、前記無線ＬＡＮ部が前記待機状態から前記アクティブ状態に遷移してから、前記無線ＬＡＮ部を利用した通信が第１所定時間行われないことが検出されたならば、前記無線ＬＡＮ部を前記待機状態に遷移させるステップと、前記無線ＬＡＮ部を利用した通信が前記第１所定時間行われないことにより前記無線ＬＡＮ部が前記アクティブ状態から前記待機状態に遷移してから、第２所定時間経過したことが検出されたならば、前記無線ＬＡＮ部を前記スリープ状態に遷移させるステップと、を更に備えるようにしてもよい。
【００１５】
上記の無線ＬＡＮ部制御方法において、前記無線ＬＡＮ部が前記アクティブ状態から前記待機状態に遷移した後、前記スリープ状態に遷移する前に、発信準備又は使用準備のための操作が検出され、且つ、前記無線ＬＡＮ部がビーコン検出、アクセスポイント名確認及び認証に成功したならば、前記無線ＬＡＮ部を前記アクティブ状態に遷移させるステップを更に備えるようにしてもよい。
【００１６】
上記の無線ＬＡＮ部制御方法において、前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認及び認証に成功したならば、又は、外部トリガ信号を入力し、且つ、前記無線ＬＡＮ部がビーコン検出、アクセスポイント名確認及び認証に成功したならば、前記無線ＬＡＮ部を前記アクティブ状態に遷移させるステップを更に備えるようにしてもよい。
【００１７】
上記の無線ＬＡＮ部制御方法において、前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認又は認証の何れかに失敗したならば、前記無線ＬＡＮ部を前記スリープ状態に遷移させるステップを更に備えるようにしてもよい。
【００１８】
上記の無線ＬＡＮ部制御方法において、
前記無線ＬＡＮ部が前記アクティブ状態から前記待機状態に遷移した後、前記スリープ状態に遷移する前に、発信のためのダイアル操作が検出され、且つ、前記無線ＬＡＮ部がビーコン検出、アクセスポイント名確認又は認証の何れかに失敗したならば、前記無線ＬＡＮ部を前記待機状態のままにするステップを更に備えるようにしてもよい。
【００１９】
上記の無線ＬＡＮ部制御方法において、前記無線ＬＡＮ部が前記待機状態から前記アクティブ状態に遷移してから、前記無線ＬＡＮ部を利用した通信が第１所定時間行われないことが検出されたならば、前記無線ＬＡＮ部を前記スリープ状態に遷移させるステップを更に備えるようにしてもよい。
【００２０】
上記の無線ＬＡＮ部制御方法において、前記無線ＬＡＮ部が前記待機状態にある時に、発信のためのダイアル操作が検出され、且つ、前記無線ＬＡＮ部がビーコン検出、アクセスポイント名確認及び認証に成功したならば、前記無線ＬＡＮ部を前記アクティブ状態に遷移させるステップを更に備えるようにしてもよい。
【００２１】
上記の無線ＬＡＮ部制御方法において、前記無線ＬＡＮ部が前記待機状態にある時に、発信のためのダイアル操作が検出され、且つ、前記無線ＬＡＮ部がビーコン検出、アクセスポイント名確認又は認証の何れかに失敗したならば、前記無線ＬＡＮ部を前記スリープ状態に遷移させるステップを更に備えるようにしてもよい。
【００２２】
上記の無線ＬＡＮ部制御方法において、前記無線ＬＡＮ部が前記待機状態にある時に、発信のためのダイアル操作が検出され、且つ、前記無線ＬＡＮ部がビーコン検出、アクセスポイント名確認又は認証の何れかに失敗したならば、前記無線ＬＡＮ部を前記待機状態のままにするステップを更に備えるようにしてもよい。
【００２３】
上記の無線ＬＡＮ部制御方法において、前記無線ＬＡＮ部が前記待機状態にある時に、携帯電話部が着信を受け、オフフック操作が行われたことを検出したならば、前記無線ＬＡＮ部を前記スリープ状態に遷移させるステップを更に備えるようにしてもよい。
【００２４】
上記の無線ＬＡＮ部制御方法において、前記無線ＬＡＮ部が前記待機状態にある時に、携帯電話部が着信を受け、オフフック操作が行われたことを検出したならば、前記無線ＬＡＮ部を前記待機状態のままにするステップを更に備えるようにしてもよい。
【００２５】
上記の無線ＬＡＮ部制御方法において、前記無線ＬＡＮ部が前記待機状態にある時に、携帯電話部が着信を受け、オフフック操作が行われた後に、前記携帯電話部による通話終了の操作が行われたことを検出したならば、前記無線ＬＡＮ部を前記待機状態のままにするステップを更に備えるようにしてもよい。
【００２６】
上記の無線ＬＡＮ部制御方法において、前記無線ＬＡＮ部が前記アクティブ状態にある時に、携帯電話部を利用した通話が開始されたことを検出したならば、前記無線ＬＡＮ部を前記スリープ状態に遷移させるステップを更に備えるようにしてもよい。
【００２７】
上記の無線ＬＡＮ部制御方法において、前記無線ＬＡＮ部が前記アクティブ状態にある時に、携帯電話部を利用した通話が開始されたことを検出したならば、前記無線ＬＡＮ部を前記アクティブ状態のままにするステップを更に備えるようにしてもよい。
【００２８】
上記の無線ＬＡＮ部制御方法において、前記無線ＬＡＮ部が前記アクティブ状態にある時に、携帯電話部を利用した通話が開始された後に前記携帯電話部による通話終了の操作が行われたことを検出したならば、前記無線ＬＡＮ部を前記アクティブ状態のままにするステップを更に備えるようにしてもよい。
【００２９】
上記の無線ＬＡＮ部制御方法において、前記無線ＬＡＮ部が前記スリープ状態にある時に、携帯電話部が着信を受け、オフフック操作が行われたことを検出したならば、前記無線ＬＡＮ部を前記スリープ状態のままにするステップを更に備えるようにしてもよい。
【００３０】
上記の無線ＬＡＮ部制御方法において、前記無線ＬＡＮ部が前記スリープ状態にある時に、携帯電話部が着信を受け、オフフック操作が行われた後に、前記携帯電話部による通話終了の操作が行われたことを検出したならば、前記無線ＬＡＮ部を前記スリープ状態のままにするステップを更に備えるようにしてもよい。
【００３１】
上記の無線ＬＡＮ部制御方法において、前記無線ＬＡＮ部が前記待機状態又は前記アクティブ状態にある時に、サスペンドボタンが押されたことを検出したならば、前記無線ＬＡＮ部をスリープ状態に遷移させるステップを更に備えるようにしてもよい。
【００３２】
上記の無線ＬＡＮ部制御方法において、前記無線ＬＡＮ部が前記待機状態又は前記アクティブ状態にある時に、ユーザインターフェースが覆われたことを検出したならば、前記無線ＬＡＮ部をスリープ状態に遷移させるステップを更に備えるようにしてもよい。
【発明の効果】
【００３３】
本発明によれば、無線ＬＡＮ部の消費電力を削減することができる。
【発明を実施するための最良の形態】
【００３４】
以下、図面を参照して本発明を実施するための最良の形態について詳細に説明する。
【００３５】
図１は、本発明の実施形態によるデュアル携帯端末の構成を示すブロック図である。
【００３６】
図１を参照すると本発明の実施形態によるデュアル携帯端末は、ユーザインターフェース１０１、外部インターフェース１０２、発信／使用準備操作検出部１０３、ダイアル操作検出部１０５、カバー開検出部１０７、オフフック検出部１０９、オンフック検出部１１１、カバー閉検出部１１３、サスペンドボタン押下検出部１１５、手動アクセスポイント再検索開始操作検出部１１７、無線ＬＡＮ状態制御部１１９、タイマ１２１、無線ＬＡＮ部１２３、ビーコン検出部１２５、アクセスポイント名確認部１２７、認証部１２９、携帯電話部１３１、ＩＰ電話部１３３、ブラウザ部１３５及びデータ通信部１３７を備える。
【００３７】
ユーザインターフェース１０１は、ユーザとのインターフェースを行う部分であり、ボタン、表示部、マイク及びスピーカ等を備える。ボタンは、テンキー、オンフックボタン、オフフックボタン、サスペンドボタン、手動アクセスポイント再検索開始ボタンを含む。また、デュアル携帯端末がカバー付のストレート型である場合には、カバーが閉じられた状態では、カバーはユーザインターフェースを覆う。また、デュアル携帯端末が折畳み型である場合には、折畳まれた状態では、本体がカバーの役目を果たし、本体はユーザインターフェースを覆う。更に、デュアル携帯端末がスライド型である場合には、１のスライド状態では、少なくとも一部のボタンが内部に隠れて覆われる。
【００３８】
外部インターフェース１０２は、外部機器との間のインターフェースであり、例えば、ＵＳＢ(Universal Serial Bus)インターフェース、ＲＳ２３２Ｃインターフェース、ｂｌｕｅｔｏｏｔｈ（登録商標）インターフェース、プリンタインターフェース、ＩＥＥＥ１３９４インターフェースである。
【００３９】
発信／使用準備操作検出部１０３は、ユーザインターフェース１０１又は外部インターフェース１０２に対してユーザにより発信又は使用の準備のための操作が行われたか否かを検出する。発信／使用準備操作検出部１０３は、ダイアル操作検出部１０５及びカバー開検出部１０７を含む。例えば、ダイアル操作が行われた時、カバーが開かれることにより、ユーザインターフェースが覆われた状態から覆われていない状態に変化した時、画面にペンが触れた時、外部インターフェース１０２に外部機器が接続された時に、発信／使用準備操作検出部１０３は、発信又は使用の準備が行われたと判断する。
【００４０】
オフフック検出部１０９は、オフフックボタンが押下されたか否かを検出する。また、デュアル携帯端末が折りたたみ式であり、これが開かれた時に通話開始できるように設定されているのであれば、オフフック検出部１０９は、デュアル携帯端末が開かれたことをオフフックボタンの押下とみなすようにしてもよい。更に、デュアル携帯端末がスライド式であり、スライド部が引き出された時に通話開始できるように設定されているのであれば、オフフック検出部１０９は、スライド部が引き出されたことをオフフックボタンの押下とみなすようにしてもよい。
【００４１】
オンフック検出部１１１は、オンフックボタンが押下されたか否かを検出する。また、デュアル携帯端末が折りたたみ式であり、これが閉じられた時に通話を終了できるように設定されているのであれば、オンフック検出部１１１は、デュアル携帯端末が閉じられたことをオンフックボタンの押下とみなすようにしてもよい。更に、デュアル携帯端末がスライド式であり、スライド部が格納された時に通話を終了できるように設定されているのであれば、オンフック検出部１１１は、スライド部が格納されたことをオンフックボタンの押下とみなすようにしてもよい。
【００４２】
カバー開閉検出部１１３は、カバーが閉じられたか否かを検出する。デュアル携帯端末が折りたたみ式であれば、これが閉じられたことをカバーが閉じられたこととみなすようにしてもよい。デュアル携帯端末がスライド式であれば、スライド部が格納されたことをカバーが閉じられたこととみなすようにしてもよい。
【００４３】
サスペンドボタン押下検出部１１５は、サスペンドボタンが押下されたか否かを検出する。
【００４４】
手動アクセスポイント再検索開始操作検出部１１７は、手動アクセスポイント再検索開始ボタンの押下等により、手動アクセスポイント再検索を開始するための操作が行われたか否かを検出する。
【００４５】
無線ＬＡＮ状態制御部１１９は、後述するように、無線ＬＡＮ部１２３の電力状態を制御する。ここで、無線ＬＡＮ部１２３の電力状態は、スリープ状態、待機状態及びアクティブ状態を含む。スリープ状態は、無線ＬＡＮ部１２３が休止している状態であり、この状態においては、無線ＬＡＮ部１２３は、ビーコンの検出も行わない。待機状態は、無線ＬＡＮ部１２３がビーコンの検出、アクセスポイント名の確認、認証等を行っているが、無線ＬＡＮ部１２３が通信を行えない状態である。アクティブ状態は、無線ＬＡＮ部１２３が通信（ＩＰパケット等のパケットを含んだ無線ＬＡＮパケットの送受信）を行える状態である。
【００４６】
タイマ１２１は、無線ＬＡＮ状態制御部１１９により必要時に所定値にプリセットされるダウンカウンタであり、カウント値が無線ＬＡＮ状態制御部１１９によりモニターされる。
【００４７】
無線ＬＡＮ部１２３は、例えば、ＩＥＥＥ８０２．１１ａ、ＩＥＥＥ８０２．１１ｂ、ＩＥＥＥ８０２．１１ｇ等の規格に従って、アクセスポイントとの間で通信することが可能である。無線ＬＡＮ部１２３の電力状態は、上述したとおりである。
【００４８】
無線ＬＡＮ部１２３は、ビーコン検出部１２５、アクセスポイント名確認部１２７及び認証部１２９を含む。ビーコン検出部１２５は、アクセスポイントが出力するビーコンを検出する。アクセスポイント名確認部１２７は、ビーコンを出力するアクセスポイントの名称が期待した所定のもの（自社、自部門等のもの）であるか否かを確認する。認証部１２９は、アクセスポイントとの間で認証を行う。無線ＬＡＮ部１２３に認証部１２９を設ける代わりに、上位層に認証部を設け、それが、上位層の認証サーバとの間で認証手続きをするようにしてもよい。
【００４９】
携帯電話部１３１は、ＰＤＣ方式、Ｗ−ＣＤＭＡ方式等により通話を行う。
【００５０】
ＩＰ電話部１３３は、無線ＬＡＮ部１２３を下層として利用して、ＵＤＰ／ＩＰ(User Datagram Protocol/Internet Protocol)、ＳＩＰ(Session Initiation Protocol)、ＲＴＰ(Real-time Transport Protocol)等による通話を行う。
【００５１】
ブラウザ部１３５は、無線ＬＡＮ部１２３を下層として利用して、ＴＣＰ／ＩＰ(Transmission Control Protocol/Internet Protocol)、ＨＴＴＰ(Hyper-Text Transfer Protocol)等による通信を行い、サーバからホームページを受信し、それを表示する。
【００５２】
データ通信部１３７は、無線ＬＡＮ部１２３を下層として利用し、ＵＤＰ／ＩＰ、ＳＩＰ(Session Initiation Protocol)、ＲＴＰ等による画像、データ等の通信を行う。
【００５３】
次に、無線ＬＡＮ状態制御部１１９により行われるシングルモード時における無線ＬＡＮ部制御方法について図２を参照して説明する。
【００５４】
無線ＬＡＮ部１２３の状態には、上述したように、スリープ状態、待機状態及びアクティブ状態が含まれ、携帯電話部１３１の状態には、待機状態と通話状態が含まれるので、これらを組み合わせると６（＝３×２）の状態が存在するが、シングルモード時においては、携帯電話部１３１が通話状態にある時には、常に、無線ＬＡＮ部１２３は、スリープ状態にあるので、４つの状態のみが存在する。
【００５５】
この４つの状態とは、無線ＬＡＮ部１２３がスリープ状態であり、携帯電話部１３１が待機状態である状態（以下、「状態Ｓ１」という。）、無線ＬＡＮ部１２３が待機状態であり、携帯電話部１３１が待機状態である状態（以下、「状態Ｓ２」という。）、無線ＬＡＮ部１２３がアクティブ状態であり、携帯電話部１３１が待機状態である状態（以下、「状態Ｓ３」という。）及び無線ＬＡＮ部１２３がスリープ状態であり、携帯電話部１３１が通話状態である状態（以下、「状態Ｓ４」という。）である。
【００５６】
まず、状態Ｓ１において、発信準備操作又は使用準備操作が検出されたならば、状態Ｓ２に遷移させる（符号２０１参照）。この遷移の際に、タイマ１２１の値ｔをＴｗ１に設定し、終了フェーズを表す変数ＦＩＮをＦＡＬＳＥに設定する。
【００５７】
状態Ｓ２においては、定期的に、ビーコン検出、アクセスポイント名の確認及び認証を試み、これらの３つに成功し、且つ、変数ＦＩＮの値がＦＡＬＳＥであれば（符号２１０で示す判断でＹＥＳ）、状態Ｓ３に遷移する（符号２０３参照）。ビーコン検出に失敗した場合、ビーコン検出に成功してもアクセスポイント名の確認に失敗した場合、ビーコン検出及びアクセスポイント名の確認に成功しても認証に失敗した場合又はビーコン検出、アクセスポイント名の確認及び認証に成功しても、変数ＦＩＮの値がＦＡＬＳＥである場合には、状態Ｓ２に留まる（符号２０４参照）。変数ＦＩＮの値がＦＡＬＳＥである場合には、ビーコン検出さえ行わないようにしてもよい。
【００５８】
状態Ｓ２から状態Ｓ３に遷移できないまま、時間Ｔｗ１が経過したならば、状態Ｓ１に遷移する（符号２０２参照）。
【００５９】
状態Ｓ３に遷移してからは、ＩＰ電話部１３３、ブラウザ部１３５及びデータ通信部１３７は、それぞれ、通話、ホームページの取得及び表示並びにデータ通信（以下「通話等」とい。）を行える。
【００６０】
状態Ｓ３において、ＩＰ電話部１３３、ブラウザ部１３５及びデータ通信部１３７の全てが通話等を行わなくなってから所定時間経過したならば、状態Ｓ２に遷移する（符号２０５参照）。この遷移の際に、タイマ１２１の値ｔをＴｗ２に設定し、変数ＦＩＮをＴＲＵＥに設定する。
【００６１】
但し、状態Ｓ３において、ＩＰ電話部１３３、ブラウザ部１３５及びデータ通信部１３７の全てが通話等を行わなくなってから所定時間経過したならば、状態Ｓ１に遷移するようにしてもよい（図示せず。）。
【００６２】
状態Ｓ３から符号２１１で示す経路で状態Ｓ２に遷移した後は、ＦＡＬＳＥがＴＲＵＥであるので、経路２０３で示す遷移は生じないで、タイマ１２１がカウントダウンを続け、ｔ＝０になったときに、状態Ｓ２から状態Ｓ１に遷移する（符号２０２参照）。
【００６３】
また、状態Ｓ２にあるときに、使用準備のための操作が検出されたならば、ビーコン検出、アクセスポイント名の確認及び認証を試み、これらの３つに成功したならば、状態Ｓ３に遷移し、無線ＬＡＮ部１２３及びブラウザ部１３５又はデータ通信部１３７を利用したブラウジング又は通信に入る（符号２１８参照）。従って、状態Ｓ２から状態Ｓ１に遷移する前に状態Ｓ２に留まっている最中に、使用準備のための操作が検出されたならば、早期にブラウジング又は通信に入ることができる。これらの３つのいずれかに失敗したならば、状態Ｓ２に戻る（符号２１９参照）。
【００６４】
また、状態Ｓ２にあるときに、定期的にビーコン検出を試みている。ビーコンが検出され、また、ビーコンに所定の信号が含まれ、又は、付随している場合には、状態Ｓ３から経路２０５を経て状態Ｓ２に来ている場合であっても、アクセスポイント名の確認及び認証を行い、両者に成功したならば、状態Ｓ３に遷移する。また、ビーコンに所定の信号が含まれ、又は付随している場合でなくても、無線又は有線で外部から所定の信号を受けたならば、状態Ｓ３から経路２０５を経て状態Ｓ２に来ている場合であっても、ビーコンの検出、アクセスポイント名の確認及び認証を試み、これらの３つに成功したならば、状態Ｓ３に遷移するようにしてもよい（判断２１０中の「Ａ・ＦＩＮ・Ｔ」で示す（「Ｔ」は外部トリガ信号を表す））。
【００６５】
また、状態Ｓ２にあるときに、発信のためのダイアル操作が検出されたならば、ＦＩＮの値にかかわらず、ビーコン検出、アクセスポイント名の確認及び認証を試み、これらの３つに成功したならば、状態Ｓ３に遷移し、無線ＬＡＮ部１２３及びＩＰ電話部１３３を利用した通話に入る（符号２０６参照）。従って、状態Ｓ２から状態Ｓ１に遷移する前に状態Ｓ２に留まっている最中に、発信のためダイアル操作が検出されたならば、早期に通話に入ることができる。これらの３つのいずれかに失敗したならば、状態Ｓ４に遷移し、携帯電話部１３１を利用した通話に入る（符号２０７参照）。
【００６６】
また、状態Ｓ２にあるときに、携帯電話部１３１が公衆電話回線による着信を受け、オフフックの操作が行われたならば、状態Ｓ４に遷移し、携帯電話部１３１による通話に入る（符号２０８参照）。
【００６７】
また、状態Ｓ３にあるときに、携帯電話部１３１を利用した通話が開始されたならば、状態Ｓ４に遷移する（符号２２０参照）。ここでの通話の開始は、発信による通話の開始及び着信による通話の開始を含む。
【００６８】
また、状態Ｓ３にあるときに、アクセスポイントが見えなくなったならば、状態Ｓ２に遷移する（符号２０９参照）。ここで、アクセスポイントが見えなくなったことは、アクセスポイントからビーコンを受信できなくなったことにより検出する。また、この遷移の際に、タイマ１２１の値ｔをＴｗ１に設定し、変数ＦＩＮをＦＡＬＳＥに設定する。従って、状態Ｓ３から符号２０９で示す経路で状態Ｓ２に遷移した後は、再度、符号２０３で示す経路で状態Ｓ３に遷移するための判断（符号２１０参照）が行われ、この判断結果がＹＥＳであれば、状態Ｓ３に戻る。状態Ｓ２から状態Ｓ３に遷移できないまま、時間Ｔｗ１が経過したならば、状態Ｓ１に遷移する（符号２０２参照）。
【００６９】
また、状態Ｓ３にあるときに、手動でアクセスポイントを再検索するための操作が検出されたならば、状態Ｓ２に遷移する（符号２１１参照）。また、この遷移の際に、タイマ１２１の値ｔをＴｗ１に設定し、変数ＦＩＮをＦＡＬＳＥに設定する。従って、状態Ｓ３から符号２１１で示す経路で状態Ｓ２に遷移した後は、再度、符号２０３で示す経路で状態Ｓ３に遷移するための判断（符号２１０参照）が行われ、この判断結果がＹＥＳであれば、状態Ｓ３に戻る。状態Ｓ２から状態Ｓ３に遷移できないまま、時間Ｔｗ１が経過したならば、状態Ｓ１に遷移する（符号２０２参照）。
【００７０】
また、カバーが閉じられた時に状態Ｓ１に遷移することが設定により許可されている場合において、状態Ｓ３にあるときに、カバーが閉じられたならば、状態Ｓ１に遷移する（符号２１２参照）。
【００７１】
また、状態Ｓ３にあるときに、サスペンドボタンの押下が検出されたならば、状態Ｓ１に遷移する（符号２１３参照）。
【００７２】
また、カバーが閉じられた時に状態Ｓ１に遷移することが設定により許可されている場合において、状態Ｓ２にあるときに、カバーが閉じられたならば、状態Ｓ１に遷移する（符号２２１参照）。
【００７３】
また、状態Ｓ２にあるときに、サスペンドボタンの押下が検出されたならば、状態Ｓ１に遷移する（符号２２２参照）。
【００７４】
また、状態Ｓ１にあるときに、携帯電話部１３１が公衆電話回線による着信を受け、オフフックの操作が行われたならば、状態Ｓ４に遷移し、携帯電話部１３１による通話に入る（符号２１４参照）。
【００７５】
状態Ｓ４にあるときに、オンフック操作が検出されたならば、状態Ｓ１に遷移する（符号２１５参照）。
【００７６】
また、カバーが閉じられた時に状態Ｓ１に遷移することが設定により許可されている場合において、状態Ｓ４にあるときに、カバーが閉じられたならば、状態Ｓ１に遷移する（符号２１６参照）。
【００７７】
また、状態Ｓ４にあるときに、サスペンドボタンの押下が検出されたならば、状態Ｓ１に遷移する（符号２１７参照）。
【００７８】
無線ＬＡＮ部１２３の消費電力は、スリープ状態において最も少なく、待機状態において次に少なく、アクティブ状態において最も多いので、上述したように状態遷移が行われることにより、無線ＬＡＮ部１２３の消費電力を最小限に抑えることが可能となる。
【００７９】
また、状態Ｓ３において、無線ＬＡＮ部１２３を利用した通話等が終了したならば、直ちに状態Ｓ２又は状態Ｓ１に遷移する代わりに、状態Ｓ３において、通話等が終了してから所定時間経過したならば、状態Ｓ２又は状態Ｓ１に遷移するようにしているので、通話等が終了してから所定時間内に通話等を再開しようとする場合に、直ちにその再開をすることが可能となる。
【００８０】
次に、無線ＬＡＮ状態制御部１１９により行われるデュアルモード時における無線ＬＡＮ部制御方法について図３を参照して説明する。
【００８１】
無線ＬＡＮ部１２３の状態には、上述したように、スリープ状態、待機状態及びアクティブ状態が含まれ、携帯電話部１３１の状態には、待機状態と通話状態が含まれるので、これらを組み合わせると６（＝３×２）の状態が存在するがデュアルモード時においては、これらの６つの状態を全てとりうる。
【００８２】
この６つの状態とは、上述した４つの状態（状態１乃至４）並びに無線ＬＡＮ部１２３が待機状態であり、携帯電話部１３１が通話状態である状態（以下、「状態Ｓ５」という。）及び無線ＬＡＮ部１２３がアクティブ状態であり、携帯電話部１３１が通話状態である状態（以下、「状態Ｓ２」という。）である。
【００８３】
まず、状態Ｓ１において、発信準備操作又は使用準備操作が検出されたならば、状態Ｓ２に遷移させる（符号３０１参照）。この遷移の際に、タイマ１２１の値ｔをＴｗ１に設定し、終了フェーズを表す変数ＦＩＮをＦＡＬＳＥに設定する。
【００８４】
状態Ｓ２においては、定期的に、ビーコン検出、アクセスポイント名の確認及び認証を試み、これらの３つに成功し、且つ、変数ＦＩＮの値がＦＡＬＳＥであれば（符号３１０で示す判断でＹＥＳ）、状態Ｓ３に遷移する（符号３０３参照）。ビーコン検出に失敗した場合、ビーコン検出に成功してもアクセスポイント名の確認に失敗した場合、ビーコン検出及びアクセスポイント名の確認に成功しても認証に失敗した場合又はビーコン検出、アクセスポイント名の確認及び認証に成功しても、変数ＦＩＮの値がＦＡＬＳＥである場合には、状態Ｓ２に留まる（符号３０４参照）。変数ＦＩＮの値がＦＡＬＳＥである場合には、ビーコン検出さえ行わないようにしてもよい。
【００８５】
状態Ｓ２から状態Ｓ３に遷移できないまま、時間Ｔｗ１が経過したならば、状態Ｓ１に遷移する（符号３０２参照）。
【００８６】
状態Ｓ３に遷移してからは、ＩＰ電話部１３３、ブラウザ部１３５及びデータ通信部１３７は、それぞれ、通話、ホームページの取得及び表示並びにデータ通信を行える。
【００８７】
状態Ｓ３において、ＩＰ電話部１３３、ブラウザ部１３５及びデータ通信部１３７の全てが通話等を行わなくなってから所定時間経過したならば、状態Ｓ２に遷移する（符号３０５参照）。この遷移の際に、タイマ１２１の値ｔをＴｗ２に設定し、変数ＦＩＮをＴＲＵＥに設定する。
【００８８】
但し、状態Ｓ３において、ＩＰ電話部１３３、ブラウザ部１３５及びデータ通信部１３７の全てが通話等を行わなくなってから所定時間経過したならば、状態Ｓ１に遷移するようにしてもよい（図示せず。）。
【００８９】
状態Ｓ３から符号３０５で示す経路で状態Ｓ２に遷移した後は、ＦＡＬＳＥがＴＲＵＥであるので、経路３０３で示す遷移は生じないで、タイマ１２１がカウントダウンを続け、ｔ＝０になったときに、状態Ｓ２から状態Ｓ１に遷移する（符号３０２参照）。
【００９０】
また、状態Ｓ２にあるときに、使用準備のための操作が検出されたならば、ビーコン検出、アクセスポイント名の確認及び認証を試み、これらの３つに成功したならば、状態Ｓ３に遷移し、無線ＬＡＮ部１２３及びブラウザ部１３５又はデータ通信部１３７を利用したブラウジング又は通信に入る（符号３１８参照）。従って、状態Ｓ２から状態Ｓ１に遷移する前に状態Ｓ２に留まっている最中に、使用準備のための操作が検出されたならば、早期にブラウジング又は通信に入ることができる。これらの３つのいずれかに失敗したならば、状態Ｓ２に戻る（符号３１９参照）。
【００９１】
また、状態Ｓ２にあるときに、定期的にビーコン検出を試みている。ビーコンが検出され、また、ビーコンに所定の信号が含まれ、又は、付随している場合には、状態Ｓ３から経路３０５を経て状態Ｓ２に来ている場合であっても、アクセスポイント名の確認及び認証を行い、両者に成功したならば、状態Ｓ３に遷移する。また、ビーコンに所定の信号が含まれ、又は付随している場合でなくても、無線又は有線で外部から所定の信号を受けたならば、状態Ｓ３から経路３０５を経て状態Ｓ２に来ている場合であっても、ビーコンの検出、アクセスポイント名の確認及び認証を試み、これらの３つに成功したならば、状態Ｓ３に遷移するようにしてもよい（判断３１０中の「Ａ・ＦＩＮ・Ｔ」で示す（「Ｔ」は外部トリガ信号を表す））。
【００９２】
また、状態Ｓ２にあるときに、発信のためのダイアル操作が検出されたならば、ＦＩＮの値にかかわらず、ビーコン検出、アクセスポイント名の確認及び認証を試み、これらの３つに成功したならば、状態Ｓ３に遷移し、無線ＬＡＮ部１２３及びＩＰ電話部１３３を利用した通話に入る（符号３０６参照）。従って、状態Ｓ２から状態Ｓ１に遷移する前に状態Ｓ２に留まっている最中に、発信のためダイアル操作が検出されたならば、早期に通話に入ることができる。これらの３つのいずれかに失敗したならば、状態Ｓ５に遷移し、携帯電話部１３１を利用した通話に入る（符号３０７参照）。つまり、シングルモードでは、状態Ｓ４に遷移し、無線ＬＡＮ部１２３がスリープ状態に入るのに対し、デュアルモードでは、状態Ｓ５に遷移し、無線ＬＡＮ部１２３は、待機状態を維持する。
【００９３】
また、状態Ｓ２にあるときに、携帯電話部１３１が公衆電話回線による着信を受け、オフフックの操作が行われたならば、状態Ｓ５に遷移し、携帯電話部１３１による通話に入る（符号３０８参照）。つまり、シングルモードでは、状態Ｓ４に遷移し、無線ＬＡＮ部１２３がスリープ状態に入るのに対し、デュアルモードでは、状態Ｓ５に遷移し、無線ＬＡＮ部１２３は、待機状態を維持する。
【００９４】
状態Ｓ５にあるときに、携帯電話部１３１を利用した通話が終了したならば、状態Ｓ２に遷移する（符号４１４参照）。
【００９５】
また、状態Ｓ３にあるときに、アクセスポイントが見えなくなったならば、状態Ｓ２に遷移する（符号３０９参照）。ここで、アクセスポイントが見えなくなったことは、アクセスポイントからビーコンを受信できなくなったことにより検出する。また、この遷移の際に、タイマ１２１の値ｔをＴｗ１に設定し、変数ＦＩＮをＦＡＬＳＥに設定する。従って、状態Ｓ３から符号３０９で示す経路で状態Ｓ２に遷移した後は、再度、符号３０３で示す経路で状態Ｓ３に遷移するための判断（符号３１０参照）が行われ、この判断結果がＹＥＳであれば、状態Ｓ３に戻る。状態Ｓ２から状態Ｓ３に遷移できないまま、時間Ｔｗ１が経過したならば、状態Ｓ１に遷移する（符号３０２参照）。
【００９６】
また、状態Ｓ３にあるときに、手動でアクセスポイントを再検索するための操作が検出されたならば、状態Ｓ２に遷移する（符号３１１参照）。また、この遷移の際に、タイマ１２１の値ｔをＴｗ１に設定し、変数ＦＩＮをＦＡＬＳＥに設定する。従って、状態Ｓ３から符号３１１で示す経路で状態Ｓ２に遷移した後は、再度、符号３０３で示す経路で状態Ｓ３に遷移するための判断（符号３１０参照）が行われ、この判断結果がＹＥＳであれば、状態Ｓ３に戻る。状態Ｓ２から状態Ｓ３に遷移できないまま、時間Ｔｗ１が経過したならば、状態Ｓ１に遷移する（符号３０２参照）。
【００９７】
また、状態Ｓ３にあるときに、携帯電話部１３１を利用した通話が開始されたならば、状態Ｓ６に遷移する（符号４１２参照）。ここでの通話の開始は、発信による通話の開始及び着信による通話の開始を含む。
【００９８】
状態Ｓ６にあるときに、携帯電話部１３１を利用した通話が終了したならば、状態Ｓ３に遷移する（符号４１３参照）。
【００９９】
また、カバーが閉じられた時に状態Ｓ１に遷移することが設定により許可されている場合において、状態Ｓ３にあるときに、カバーが閉じられたならば、状態Ｓ１に遷移する（符号３１２参照）。
【０１００】
また、状態Ｓ３にあるときに、サスペンドボタンの押下が検出されたならば、状態Ｓ１に遷移する（符号３１３参照）。
【０１０１】
また、カバーが閉じられた時に状態Ｓ１に遷移することが設定により許可されている場合において、状態Ｓ２にあるときに、カバーが閉じられたならば、状態Ｓ１に遷移する（符号３２０参照）。
【０１０２】
また、状態Ｓ２にあるときに、サスペンドボタンの押下が検出されたならば、状態Ｓ１に遷移する（符号３２１参照）。
【０１０３】
また、状態Ｓ１にあるときに、携帯電話部１３１が公衆電話回線による着信を受け、オフフックの操作が行われたならば、状態Ｓ４に遷移し、携帯電話部１３１による通話に入る（符号３１４参照）。
【０１０４】
状態Ｓ４にあるときに、オンフック操作が検出されたならば、状態Ｓ１に遷移する（符号３１５参照）。
【０１０５】
また、カバーが閉じられた時に状態Ｓ１に遷移することが設定により許可されている場合において、状態Ｓ４にあるときに、カバーが閉じられたならば、状態Ｓ１に遷移する（符号３１６参照）。
【０１０６】
また、状態Ｓ４にあるときに、サスペンドボタンの押下が検出されたならば、状態Ｓ１に遷移する（符号３１７参照）。
【０１０７】
状態Ｓ５においては、定期的に、ビーコン検出、アクセスポイント名の確認及び認証を試み、これらの３つに成功し、且つ、変数ＦＩＮの値がＦＡＬＳＥであれば（符号４１０で示す判断でＹＥＳ）、状態Ｓ６に遷移する（符号４０３参照）。ビーコン検出に失敗した場合、ビーコン検出に成功してもアクセスポイント名の確認に失敗した場合、ビーコン検出及びアクセスポイント名の確認に成功しても認証に失敗した場合又はビーコン検出、アクセスポイント名の確認及び認証に成功しても、変数ＦＩＮの値がＦＡＬＳＥである場合には、状態Ｓ５に留まる（符号４０４参照）。変数ＦＩＮの値がＦＡＬＳＥである場合には、ビーコン検出さえ行わないようにしてもよい。
【０１０８】
また、状態Ｓ５にあるときに、使用準備のための操作が検出されたならば、ビーコン検出、アクセスポイント名の確認及び認証を試み、これらの３つに成功したならば、状態Ｓ６に遷移し、無線ＬＡＮ部１２３及びブラウザ部１３５又はデータ通信部１３７を利用したブラウジング又は通信に入る（符号４１８参照）。従って、状態Ｓ５から状態Ｓ４に遷移する前に状態Ｓ５に留まっている最中に、使用準備のための操作が検出されたならば、早期にブラウジング又は通信に入ることができる。これらの３つのいずれかに失敗したならば、状態Ｓ５に戻る（符号４１９参照）。
【０１０９】
また、状態Ｓ５にあるときに、定期的にビーコン検出を試みている。ビーコンが検出され、また、ビーコンに所定の信号が含まれ、又は、付随している場合には、状態Ｓ６から経路４０５を経て状態Ｓ５に来ている場合であっても、アクセスポイント名の確認及び認証を行い、両者に成功したならば、状態Ｓ６に遷移する。また、ビーコンに所定の信号が含まれ、又は付随している場合でなくても、無線又は有線で外部から所定の信号を受けたならば、状態Ｓ６から経路４０５を経て状態Ｓ５に来ている場合であっても、ビーコンの検出、アクセスポイント名の確認及び認証を試み、これらの３つに成功したならば、状態Ｓ６に遷移するようにしてもよい（判断４１０中の「Ａ・ＦＩＮ・Ｔ」で示す（「Ｔ」は外部トリガ信号を表す））。
【０１１０】
状態Ｓ６において、ＩＰ電話部１３３、ブラウザ部１３５及びデータ通信部１３７の全てが通話等を行わなくなってから所定時間経過したならば、状態Ｓ５に遷移する（符号４０５参照）。この遷移の際に、タイマ１２１の値ｔをＴｗ２に設定し、変数ＦＩＮをＴＲＵＥに設定する。
【０１１１】
但し、状態Ｓ６において、ＩＰ電話部１３３、ブラウザ部１３５及びデータ通信部１３７の全てが通話等を行わなくなってから所定時間経過したならば、状態Ｓ４に遷移するようにしてもよい（図示せず。）。
【０１１２】
また、状態Ｓ６にあるときに、アクセスポイントが見えなくなったならば、状態Ｓ５に遷移する（符号４０９参照）。ここで、アクセスポイントが見えなくなったことは、アクセスポイントからビーコンを受信できなくなったことにより検出する。また、この遷移の際に、タイマ１２１の値ｔをＴｗ１に設定し、変数ＦＩＮをＦＡＬＳＥに設定する。従って、状態Ｓ６から符号４０９で示す経路で状態Ｓ５に遷移した後は、再度、符号４０３で示す経路で状態Ｓ３に遷移するための判断（符号４１０参照）が行われ、この判断結果がＹＥＳであれば、状態Ｓ６に戻る。状態Ｓ５から状態Ｓ６に遷移できないまま、時間Ｔｗ１が経過したならば、状態Ｓ４に遷移する（符号４０２参照）。
【０１１３】
また、状態Ｓ６にあるときに、手動でアクセスポイントを再検索するための操作が検出されたならば、状態Ｓ５に遷移する（符号４１１参照）。また、この遷移の際に、タイマ１２１の値ｔをＴｗ１に設定し、変数ＦＩＮをＦＡＬＳＥに設定する。従って、状態Ｓ６から符号４１１で示す経路で状態Ｓ５に遷移した後は、再度、符号４０３で示す経路で状態Ｓ６に遷移するための判断（符号４１０参照）が行われ、この判断結果がＹＥＳであれば、状態Ｓ６に戻る。状態Ｓ５から状態Ｓ６に遷移できないまま、時間Ｔｗ１が経過したならば、状態Ｓ４に遷移する（符号４０２参照）。
【０１１４】
また、カバーが閉じられた時に状態Ｓ１に遷移することが設定により許可されている場合において、状態Ｓ６にあるときに、カバーが閉じられたならば、状態Ｓ１に遷移する（符号５１２参照）。
【０１１５】
また、状態Ｓ６にあるときに、サスペンドボタンの押下が検出されたならば、状態Ｓ１に遷移する（符号５１３参照）。
【０１１６】
また、カバーが閉じられた時に状態Ｓ１に遷移することが設定により許可されている場合において、状態Ｓ５にあるときに、カバーが閉じられたならば、状態Ｓ１に遷移する（符号５２０参照）。
【０１１７】
また、状態Ｓ５にあるときに、サスペンドボタンの押下が検出されたならば、状態Ｓ１に遷移する（符号５２１参照）。
【０１１８】
無線ＬＡＮ部１２３の消費電力は、スリープ状態において最も少なく、待機状態において次に少なく、アクティブ状態において最も多いので、上述したように状態遷移が行われることにより、無線ＬＡＮ部１２３の消費電力を最小限に抑えることが可能となる。
【０１１９】
また、状態Ｓ３において、無線ＬＡＮ部１２３を利用した通話等が終了したならば、直ちに状態Ｓ２又は状態Ｓ１に遷移する代わりに、状態Ｓ３において、通話等が終了してから所定時間経過したならば、状態Ｓ２又は状態Ｓ１に遷移するようにしているので、通話等が終了してから所定時間内に通話等を再開しようとする場合に、直ちにその再開をすることが可能となる。
【０１２０】
また、状態Ｓ６において、無線ＬＡＮ部１２３を利用した通話等が終了したならば、直ちに状態Ｓ５又は状態Ｓ４に遷移する代わりに、状態Ｓ６において、通話等が終了してから所定時間経過したならば、状態Ｓ５又は状態Ｓ４に遷移するようにしているので、通話等が終了してから所定時間内に通話等を再開しようとする場合に、直ちにその再開をすることが可能となる。
【０１２１】
なお、無線ＬＡＮ状態制御部１１９をハードウェアによって実現してもよいが、無線ＬＡＮ状態制御部１１９をＣＰＵとメモリにより構成し、ＣＰＵがメモリに格納されているプログラムを読み込んで実行することにより、無線ＬＡＮ状態制御部１１９の機能を実現してもよい。
【産業上の利用可能性】
【０１２２】
本発明は、無線ＬＡＮ部の消費電力を削減するために利用することができる。
【図面の簡単な説明】
【０１２３】
【図１】本発明の実施形態によるデュアル携帯端末の構成を示すブロック図である。
【図２】シングルモード時における本発明の実施形態によるデュアル携帯端末の状態遷移を表す状態遷移図である。
【図３】デュアルモード時における本発明の実施形態によるデュアル携帯端末の状態遷移を表す状態遷移図である。
【符号の説明】
【０１２４】
１０１  ユーザインターフェース
１０２  外部インターフェース
１０３  発信／使用準備操作検出部
１０５  ダイアル操作検出部
１０７  カバー開検出部
１０９  オフフック検出部
１１１  オンフック検出部
１１３  カバー閉検出部
１１５  サスペンドボタン押下検出部
１１７  手動アクセスポイント再検索開始操作検出部
１１９  無線ＬＡＮ状態制御部
１２１  タイマ
１２３  無線ＬＡＮ部
１２５  ビーコン検出部
１２７  アクセスポイント名確認部
１２９  認証部
１３１  携帯電話部
１３３  ＩＰ電話部
１３５  ブラウザ部
１３７  データ通信部
【図１】
2006203325.tif 000003
【図２】
2006203325.tif 000004
【図３】
2006203325.tif 000005